(57)【要約】【課題】  幅狭紙の種類が複数になった場合であっても、固定生産モードの運用にあたり、ユーザにとって操作の負担が大きくなってしまうのを防止すること。【解決手段】  予め、プリンタ側で複数の幅狭紙それぞれに複数の固定生産モードの何れかを対応付けて登録しておく。そして、印刷時には、ＰＣ側でドライバを介して複数の幅狭紙の中から使用する幅狭紙が選択されると、プリンタ側で選択された幅狭紙に対応する固定生産モードを特定して印刷を実行する。【選択図】  図１２
2015197748.tif 000002
【特許請求の範囲】
【請求項１】
印刷の生産性を固定にして定着器の端部昇温を抑制する複数の印刷モードを有する印刷システムであって、
複数の用紙タイプそれぞれに対して前記複数の印刷モードの何れかを対応付けて登録する登録手段と、
印刷を行う際に使用すべき用紙タイプをユーザから受け付ける受付手段と、
前記登録手段により登録された複数の用紙タイプの中から前記受付手段により受け付けられた用紙タイプを特定する特定手段と、
前記登録手段により登録された複数の印刷モードの中から前記特定手段により特定された用紙タイプに対応する印刷モードを設定する設定手段と、
前記設定手段により設定された印刷モードで印刷を行う印刷手段と、
を有することを特徴とする印刷システム。
【請求項２】
前記受付手段により受け付けられた用紙タイプの用紙情報と前記特定手段により特定された用紙タイプの用紙情報を比較する比較手段を更に有し、
前記設定手段は、前記比較手段の比較結果に応じて、前記特定手段により特定された用紙タイプに対応する印刷モードを設定するか否か切り換えることを特徴とする請求項１に記載の印刷システム。
【請求項３】
前記用紙情報は、用紙サイズであることを特徴とする請求項２に記載の印刷システム。
【請求項４】
前記印刷システムは、情報処理装置と印刷装置を含み、
前記情報処理装置は、前記受付手段を有し、
前記印刷装置は、前記登録手段、前記特定手段、及び前記画像形成手段を有することを特徴とする請求項１乃至３の何れか１項に記載の印刷システム。
【請求項５】
前記情報処理装置は、印刷の速度及び定着器の加熱を固定にして定着器の端部昇温を抑制する印刷モードと、印刷の速度及び定着器の加熱を可変にして定着器の端部昇温を抑制する定着器の端部昇温を抑制する印刷モードと、を含む複数の印刷モードの中から、ユーザの指示に従って何れかの印刷モードを選択する第１の選択手段を更に有し、
前記設定手段は、前記第１の選択手段により選択された印刷モードを設定することを特徴とする請求項４に記載の印刷システム。
【請求項６】
前記印刷装置は、印刷の速度及び定着器の加熱を固定にして定着器の端部昇温を抑制する印刷モードと、印刷の速度及び定着器の加熱を可変にして定着器の端部昇温を抑制する印刷モードと、を含む複数の印刷モードの中から、ユーザの指示に従って何れかの印刷モードを選択する第２の選択手段を更に有し、
前記設定手段は、前記第２の選択手段により選択された印刷モードを設定することを特徴とする請求項５に記載の印刷システム。
【請求項７】
前記第１の選択手段又は前記第２の選択手段のうち何れを優先させるか、ユーザの指示に従って指定する指定手段を更に有し、
前記設定手段は、前記指定手段により指定された選択手段により選択された印刷モードを設定することを特徴とする請求項６に記載の印刷システム。
【請求項８】
印刷の速度及び定着器の加熱を固定にして定着器の端部昇温を抑制する複数の印刷モードを有する印刷システムであって、
フリーサイズの給紙段に前記複数の印刷モードの何れかを対応付けて登録する登録手段と、
印刷を行う際に使用する給紙段をユーザから受け付ける受付手段と、
前記受付手段により前記フリーサイズの給紙段が受け付けられた場合に、前記登録手段により登録された前記フリーサイズの給紙段に対応する印刷モードを設定する設定手段と、
前記設定手段により設定された印刷モードで印刷を行う印刷手段と、
を有することを特徴とする印刷システム。
【請求項９】
前記設定手段は、前記登録手段がフリーサイズの給紙段に前記複数の印刷モードの何れかを対応付けて登録していない場合に、通常の印刷モードを設定することを特徴とする請求項８に記載の印刷システム。
【請求項１０】
前記複数の印刷モードは、固定にする印刷の速度が互いに異なることを特徴とする請求項１乃至５の何れか１項に記載の印刷システム。
【請求項１１】
印刷の生産性を固定にして定着器の端部昇温を抑制する複数の印刷モードを有する印刷システムの制御方法であって、
複数の用紙タイプそれぞれに対して前記複数の印刷モードの何れかを対応付けて登録する登録工程と、
印刷を行う際に使用すべき用紙タイプをユーザから受け付ける受付工程と、
前記登録工程により登録された複数の用紙タイプの中から前記受付工程により受け付けられた用紙タイプを特定する特定工程と、
前記登録工程により登録された複数の印刷モードの中から前記特定工程により特定された用紙タイプに対応する印刷モードを設定する設定工程と、
前記設定工程により設定された印刷モードで印刷を行う印刷工程と、
を有することを特徴とする制御方法。
【請求項１２】
印刷の速度及び定着器の加熱を固定にして定着器の端部昇温を抑制する複数の印刷モードを有する印刷システムの制御方法であって、
フリーサイズの給紙段に前記複数の印刷モードの何れかを対応付けて登録する登録工程と、
印刷を行う際に使用する給紙段をユーザから受け付ける受付工程と、
前記受付工程により前記フリーサイズの給紙段が受け付けられた場合に、前記登録工程により登録された前記フリーサイズの給紙段に対応する印刷モードを設定する設定工程と、
前記設定工程により設定された印刷モードで印刷を行う印刷工程と、
を有することを特徴とする制御方法。
【請求項１３】
印刷の生産性を固定にして定着器の端部昇温を抑制する複数の印刷モードを有する印刷システムに、
複数の用紙タイプそれぞれに対して前記複数の印刷モードの何れかを対応付けて登録する登録工程と、
印刷を行う際に使用すべき用紙タイプをユーザから受け付ける受付工程と、
前記登録工程により登録された複数の用紙タイプの中から前記受付工程により受け付けられた用紙タイプを特定する特定工程と、
前記登録工程により登録された複数の印刷モードの中から前記特定工程により特定された用紙タイプに対応する印刷モードを設定する設定工程と、
前記設定工程により設定された印刷モードで印刷を行う印刷工程と、
を実行させるためのプログラム。
【請求項１４】
印刷の速度及び定着器の加熱を固定にして定着器の端部昇温を抑制する複数の印刷モードを有する印刷システムに、
フリーサイズの給紙段に前記複数の印刷モードの何れかを対応付けて登録する登録工程と、
印刷を行う際に使用する給紙段をユーザから受け付ける受付工程と、
前記受付工程により前記フリーサイズの給紙段が受け付けられた場合に、前記登録工程により登録された前記フリーサイズの給紙段に対応する印刷モードを設定する設定工程と、
前記設定工程により設定された印刷モードで印刷を行う印刷工程と、
を実行させるためのプログラム。
【発明の詳細な説明】
【技術分野】
【０００１】
本発明は、印刷システム、制御方法、及びプログラムに関する。
【背景技術】
【０００２】
プリンタには、複数の印刷モードを有し、その時の状況に応じて適切な印刷モードを選択して印刷を実行するものがある。特許文献１には、複数の印刷ジョブを実行する際に、各印刷ジョブで採用すべき印刷速度と、各印刷ジョブ間で印刷速度を切り換える場合に要する時間を考慮して、総印刷時間が短くなるように、印刷速度の切り換えを適切に制御する技術が記載されている。
【０００３】
印刷に用いるシートの中には、例えば帳票用紙のように、一般的な印刷用紙と比較してシートの幅が狭くシートの長さが長い幅狭紙と呼ばれるものがある。この様な幅狭紙を用いて大量印刷を実行すると、定着器の中でシートが通過しない端部の温度が局所的に急上昇してしまい、印刷が継続できなくなってしまうことが多い。これに対して、幅狭紙を用いて印刷を行う際に、印刷を定着ヒーターの温度を通常よりも低めにしつつ、シートの搬送速度を通常よりも遅くすることにより、印刷開始から印刷終了まで印刷速度を一定に維持することが可能な固定生産モードと呼ばれるものが存在する。
【０００４】
従来、ＰＣからプリンタに印刷ジョブを送信して印刷を行うシステムにおいては、固定生産モードを運用するにあたり、次の方式が採用されていた。すなわち、予めプリンタ側でユーザが固定生産モードの設定等を登録しておき、印刷時にはＰＣ側でユーザがドライバを介して固定生産モードを使用するか否か指定する方式をとっていた。
【先行技術文献】
【特許文献】
【０００５】
【特許文献１】特開２０１２−２４５６４９
【発明の概要】
【発明が解決しようとする課題】
【０００６】
しかしながら、従来の方式では、幅狭紙の種類が複数になった場合、固定生産モードの運用が困難になってしまう。具体的には、使用する帳票用紙の種類が変更になると、その度にプリンタ側でユーザが固定生産モードの設定等を登録し直す必要があるため、ユーザにとって操作の負担が大きくなってしまう。
【０００７】
本発明は、幅狭紙の種類が複数になった場合であっても、固定生産モードの運用にあたり、ユーザにとって操作の負担が大きくなってしまうのを防止することを目的とする。
【課題を解決するための手段】
【０００８】
本発明に係る印刷システムは、印刷の生産性を固定にして定着器の端部昇温を抑制する複数の印刷モードを有する印刷システムであって、複数の用紙タイプそれぞれに対して前記複数の印刷モードの何れかを対応付けて登録する登録手段と、印刷を行う際に使用すべき用紙タイプをユーザから受け付ける受付手段と、前記登録手段により登録された複数の用紙タイプの中から前記受付手段により受け付けられた用紙タイプを特定する特定手段と、前記登録手段により登録された複数の印刷モードの中から前記特定手段により特定された用紙タイプに対応する印刷モードを設定する設定手段と、前記設定手段により設定された印刷モードで印刷を行う印刷手段と、を有することを特徴とする。
【発明の効果】
【０００９】
本発明により、幅狭紙の種類が複数になった場合であっても、固定生産モードの運用にあたり、ユーザにとって操作の負担が大きくなってしまうのを防止することが可能となる。
【図面の簡単な説明】
【００１０】
【図１】プリンタの断面図
【図２】プリンタ及びＰＣの構成を示すブロック図
【図３】印刷モードそれぞれの特徴を示す表
【図４】（Ａ）  帳票用紙に印刷を行った際の各印刷モードにおける印刷速度の推移を示す図  （Ｂ）帳票用紙に印刷を行った際の各印刷モードにおける定着器の端部温度の推移を示す図
【図５】固定生産モードの更に詳細なモードそれぞれの特徴を示す表
【図６】プリンタのパネルで帳票用紙の登録を行うための画面
【図７】プリンタのパネルで帳票用紙の印刷速度改善の設定を行うための画面
【図８】プリンタに記憶される設定の一覧
【図９】ＰＣにおいて印刷ジョブを生成してプリンタに送信する際の動作を示すフローチャート
【図１０】プリンタドライバの印刷設定画面
【図１１】印刷ジョブの内容を示す図
【図１２】プリンタにおいてＰＣから印刷ジョブを受信して印刷を行う際の動作を示すフローチャート
【発明を実施するための形態】
【００１１】
〔第１の実施形態〕
＜印刷システム＞
図１は、プリンタの断面図である。
【００１２】
レーザドライバ１００２は、印刷データをビデオ信号に変換して出力する。
【００１３】
半導体レーザ１００３は、レーザドライバ１００２から入力したビデオ信号に応じてレーザ光を発射する。
【００１４】
レーザ光１００４は、半導体レーザ１００３により発射される。
【００１５】
回転多面鏡１００５は、レーザ光１００４を主走査方向に振る。
【００１６】
感光体１００６は、回転多面鏡１００５により主走査方向に振らされたレーザ光を受けて走査露光される。これにより、感光体１００６上には出力画像の静電潜像が形成される。
【００１７】
現像器１００７は、感光体１００６上に形成された出力画像の静電潜像を現像する。その後、出力画像は感光体１００６から用紙に転写される。
【００１８】
用紙カセット１００８は、用紙を格納する。
【００１９】
給紙ローラ１００９は、用紙カセット１００８に格納された用紙を給紙する。
【００２０】
搬送ローラ１０１０及びレジストローラ１０１１は、給紙ローラ１００９により給紙された用紙を感光体１００６に搬送する。用紙の搬送速度の調整は、搬送ローラ１０１０及びレジストローラ１０１１の回転速度を制御することにより行う。
【００２１】
定着器１０１２は、ヒータを備え、用紙に転写された出力画像を加熱加圧して定着させる。定着器１０１２は、定着ローラの端部の温度を感知して、その温度が規定値以上になると端部昇温を検出するためのセンサーを備える。また、定着器１０１２は、通紙部の中心の温度を感知して、その温度を所定の値に保持するように制御するためのセンサーも備える。
【００２２】
排紙ローラ１０１３は、定着器１０１２により出力画像が定着された用紙を排紙する。
【００２３】
図２は、プリンタ及びＰＣの構成を示すブロック図である。
【００２４】
プリンタ１００１とＰＣ１００２は、ＬＡＮ１００３を介して相互に通信可能に接続される。
【００２５】
プリンタ１００１は、印刷装置（画像形成装置）の一例であり、以下の構成を有する。
【００２６】
ＣＰＵ１１０は、プリンタ１００１の制御全般を司る。
【００２７】
パネル１１１は、ユーザに各種情報を表示する。
【００２８】
操作部１１２は、ユーザから各種操作を受け付ける。
【００２９】
プリントエンジン１１４は、用紙に画像形成を行う。
【００３０】
ＲＯＭ１１５は、プリンタ１００１のブートプログラムや制御プログラム等を記憶する。ＲＯＭ１１５は、フラッシュメモリ等ような書き換え可能な記憶媒体を用いれば、各種プログラムの更新を随時実行することが可能である。
【００３１】
ＲＡＭ１１６は、ＣＰＵ１１０のワークメモリとして機能し、ＲＯＭ１１５に記憶された各種プログラムが展開されたり、印刷データ等の各種データを一時的に記憶したりする。
【００３２】
ＨＤＤ１１７は、画像形成を行う際にラスタデータを一時的に格納したり、各種設定値を保存したりする。
【００３３】
Ｅｔｈｅｒｎｅｔ（登録商標）１１８は、ＬＡＮ１００３に接続し、ＰＣ１００２とデータの送受信を行う。
【００３４】
ＰＣ１００２は、情報処理装置の一例であり、以下の構成を有する。
【００３５】
ＣＰＵ１２０は、ＰＣ１００２の制御全般を司る。
【００３６】
操作部１２１は、ユーザから各種操作を受け付ける。
【００３７】
ＲＯＭ１２２は、ＰＣ１００２のブートプログラムや制御プログラム等を記憶する。
【００３８】
ＲＡＭ１２３は、ＣＰＵ１２０のワークメモリとして機能し、ＲＯＭ１２２に記憶された各種プログラムが展開されたり、印刷データ等の各種データを一時的に記憶したりする。
【００３９】
ＨＤＤ１２４は、ＣＰＵ１２０が使用するデータやアプリケーションプログラム等を記憶する。
【００４０】
Ｅｔｈｅｒｎｅｔ（登録商標）１２５は、ＬＡＮ１００３に接続し、プリンタ１００１とデータの送受信を行う。
【００４１】
ディスプレイ１２６は、ユーザに各種情報を表示する。
【００４２】
＜印刷モード＞
図３は、印刷モードそれぞれの特徴を示す表である。
【００４３】
本実施形態では、印刷モードとして、通常印刷モード、少量印刷速度改善モード（初期生産優先モード）、大量印刷速度改善モード（固定生産モード）を有する。通常印刷モードは、通常の定型用紙に印刷する際に用いられる印刷モードである。少量印刷速度改善モード（初期生産優先モード）、大量印刷速度改善モード（固定生産モード）は、帳票用紙等のように幅狭紙と呼ばれる非定形用紙を印刷する際に用いられる印刷モードであり、印刷時に定着器の端部昇温を抑制するための印刷モードである。
【００４４】
対応紙種は、通常印刷モードでは、Ａ４やＡ３等の様々な定型用紙に対応可能である。一方、少量印刷速度改善モード（初期生産優先モード）や大量印刷速度改善モード（固定生産モード）では、帳票用紙（定着器の幅に対して極端に幅が狭い用紙）に特化している。
【００４５】
印刷速度は、通常印刷モードや少量印刷速度改善モード（初期生産優先モード）では、定着器の温度が上昇するのに応じて印刷速度を減少させる。印刷速度の調整は、プロセス速度を一定にしつつ、紙間を変更することにより実現する。一方、大量印刷速度改善モード（固定生産モード）では、印刷速度を常に一定に保つ。このため、少量印刷速度改善モード（初期生産優先モード）と大量印刷速度改善モード（固定生産モード）を比較すると、次のようになる。すなわち、印刷枚数が少ないうちは少量印刷速度改善モード（初期生産優先モード）の方が相対的に速いが、印刷枚数が多くなると大量印刷速度改善モード（固定生産モード）の方が相対的に速くなる。
【００４６】
通紙部の中心のターゲット温度は、通常印刷モードと比較して、少量印刷速度改善モード（初期生産優先モード）や大量印刷速度改善モード（固定生産モード）の方が低くなる。これは、帳票用紙に印刷する際に、定着器の端部昇温（用紙が通過しない端部の温度が局所的に上昇してしまうこと）により端部昇温（定着器の温度が閾値を超えてしまい印刷が継続できない状態になってしまうこと）が発生するのを防止するためである。同様の理由により、通紙部の中心のターゲット温度は、印刷速度が可変である少量印刷速度改善モード（初期生産優先モード）と比較して、印刷速度が等速である大量印刷速度改善モード（固定生産モード）の方が低くなる。
【００４７】
初期生産性は、大量印刷速度改善モード（固定生産モード）よりも少量印刷速度改善モード（初期生産優先モード）の方が高い。なお、通常印刷モードでは、数枚で端部昇温となり印刷がストップしてしまうため、初期生産性は極端に低くなる。
【００４８】
大量プリント時のトータル生産性は、少量印刷速度改善モード（初期生産優先モード）よりも大量印刷速度改善モード（固定生産モード）の方が高い。少量印刷速度改善モード（初期生産優先モード）と大量印刷速度改善モード（固定生産モード）では、それらの交点からある程度印刷枚数が進んだ段階（交点の前後で各モードに挟まれる面積が等しくなる時点）で、それらの生産性が逆転することになる。通常印刷モードでは、前述したように数枚で端部昇温となり印刷がストップしてしまうため、大量プリント時のトータル生産性も極端に低くなる。
【００４９】
図４（Ａ）は、帳票用紙に印刷を行った際の各印刷モードにおける印刷速度の推移を示す図である。
【００５０】
図中、横軸は印刷枚数を示し、縦軸は印刷速度を示す。
【００５１】
通常モードでは、数枚（図では１０枚）で端部昇温となり、印刷がストップしてしまう。
【００５２】
少量印刷速度改善モード（初期生産優先モード）では、印刷枚数の増加に伴って印刷速度が徐々に遅くなっていく。そして、所定枚数（図では２０枚）までは大量印刷速度改善モード（固定生産モード）より印刷速度が速いが、所定枚数（図では２０枚）を超えると大量印刷速度改善モード（固定生産モード）より印刷速度が遅くなる。
【００５３】
大量印刷速度改善モード（固定生産モード）では、印刷枚数に関わらず印刷速度が一定になる。そして、所定枚数（図では２０枚）までは少量印刷速度改善モード（初期生産優先モード）より印刷速度が遅いが、所定枚数（図では２０枚）を超えると少量印刷速度改善モード（初期生産優先モード）より印刷速度が速くなる。
【００５４】
なお、前述した１０枚や２０枚等の値は一例であり、プリントエンジンの特性や定着器の定着温度の許容範囲等によって変わり得る。
【００５５】
図４（Ｂ）は、帳票用紙に印刷を行った際の各印刷モードにおける定着器の端部温度の推移を示す図である。
【００５６】
図中、横軸は印刷枚数を示し、縦軸は定着器の端部温度を示す。
【００５７】
通常モードでは、数枚（図では１０枚）で端部昇温となり、印刷がストップしてしまう。
【００５８】
少量印刷速度改善モード（初期生産優先モード）では、印刷枚数の増加に伴って端部温度が徐々に端部昇温の閾値に近づいていくが、端部温度は端部昇温の閾値には達しない。
【００５９】
大量印刷速度改善モード（固定生産モード）では、印刷枚数に関わらず端部温度が一定になる。ただし、これは固定生産モードと帳票用紙の関係が適切に組み合わされた場合の話であって、その組み合わせによってはグラフが変動することもある。
【００６０】
図５は、固定生産モードの更に詳細なモードそれぞれの特徴を示す表である。
【００６１】
本実施形態では、大量印刷速度改善モード（固定生産モード）として、モード１〜１０を備える。なお、モードの数は１０に限らない。
【００６２】
モード１〜１０は、何れのモードも、印刷枚数に関わらず印刷速度が一定になるという点で共通する。ただし、モードごとに、一定になる印刷速度の大きさが異なる。これは、プロセス速度を各モードで共通としつつ、紙間を各モードで変更することにより実現する。また、通紙部の中心のターゲット温度は、各モードで共通とする。帳票用紙でも、幅が異なるものが複数存在し、それぞれ端部昇温の起こり易さに違いがあるため、帳票用紙の幅に合わせて複数のモードを用意している。具体的には、帳票用紙の幅が狭いほど、端部昇温が起こり易くなるため、適用可能なモードは印刷速度がより低いもののみに限られてくる。
【００６３】
＜予め行われる設定＞
図６は、プリンタのパネルで帳票用紙の登録を行うための画面である。
【００６４】
この設定は、プリンタ１００１のパネル１１１を介して、予め管理者が行うものである。なお、プリンタ１００１のパネル１１１の代わりに、ＰＣ１００２のディスプレイ１２６介して行うこととしてもよい。また、管理者が行う代わりに、一般ユーザが行うこととしてもよい。
【００６５】
図６（Ａ）は、トップ画面である。この画面で「帳票用紙の登録」が選択されると、図６（Ｂ）が表示される。また、この画面で「フリーサイズの印刷モード」が選択されると、図６（Ｇ）が表示される。
【００６６】
図６（Ｂ）は、登録する帳票用紙を選択するための画面である。なお、この例では帳票用紙情報を４種類登録可能としているが、４種類以外の任意の数としてもよい。この画面で「帳票用紙１」が選択されると、図６（Ｃ）が表示される。また、この画面で「帳票用紙２」〜「帳票用紙４」の何れかが選択されると、それに対応した画面が図６（Ｃ）と同様に表示される。
【００６７】
図６（Ｃ）は、帳票用紙に設定する項目を選択するための画面である。この画面で「印刷モード」が選択されると、図６（Ｄ）が表示される。また、この画面で「幅」が選択されると、図６（Ｅ）が表示される。また、この画面で「高さ」が選択されると、図６（Ｆ）が表示される。
【００６８】
図６（Ｄ）は、帳票用紙に印刷を行う際に適用すべき印刷モードを選択するための画面である。この画面で「オフ」が選択されると、その帳票用紙に印刷を行う際に、大量印刷速度改善モード（固定生産モード）は適用されない。その際には、図７で設定される印刷モードが適用されることとなる。また、この画面で何れかの「モード」が選択されると、その帳票用紙に印刷を行う際に、選択された大量印刷速度改善モード（固定生産モード）が適用される。
【００６９】
図６（Ｅ）は、帳票用紙の幅を設定するための画面である。この画面では、上下カーソルの操作又は数値の直接入力により、選択した帳票用紙の幅を設定することができる。
【００７０】
図６（Ｆ）は、帳票用紙の高さを設定するための画面である。この画面では、上下カーソルの操作又は数値の直接入力により、選択した帳票用紙の高さを設定することができる。
【００７１】
図６（Ｇ）は、フリーサイズの用紙に印刷を行う際に適用すべき印刷モードを選択するための画面である。ここで、フリーサイズ（ユニバーサルサイズ）とは、印刷時にユーザが用紙のサイズを特に指定しなかった場合に適用されるサイズを意味する。この画面で「オフ」が選択されると、フリーサイズで印刷を行う際に、大量印刷速度改善モード（固定生産モード）は適用されない。その際には、図７で設定される印刷モードが適用されることとなる。また、この画面で何れかの「モード」が選択されると、フリーサイズで印刷を行う際に、選択された大量印刷速度改善モード（固定生産モード）が適用される。
【００７２】
図７は、プリンタのパネルで帳票用紙の印刷速度改善の設定を行うための画面である。
【００７３】
この設定は、プリンタ１００１のパネル１１１を介して、予め管理者が行うものである。なお、プリンタ１００１のパネル１１１の代わりに、ＰＣ１００２のディスプレイ１２６介して行うこととしてもよい。また、管理者が行う代わりに、一般ユーザが行うこととしてもよい。
【００７４】
この画面で「使わない」が選択されると、帳票用紙に印刷を行う際に、通常モードが適用される。また、この画面で「少量印刷速度改善モード（初期生産優先モード）」が選択されると、帳票用紙に印刷を行う際に、少量印刷速度改善モード（初期生産優先モード）が適用される。また、この画面で「大量印刷速度改善モード（固定生産モード）」が選択されると、帳票用紙に印刷を行う際に、大量印刷速度改善モード（固定生産モード）が適用される。その際には、図６で設定された印刷モードが適用されることとなる。
【００７５】
図８は、プリンタに記憶される設定の一覧である。
【００７６】
この値は、プリンタ１００１のＨＤＤ１１７に記憶される。
【００７７】
各帳票用紙について、幅８０１、高さ８０２、印刷モード８０３が対応付けて記憶される。また、これとは別に、フリーサイズの印刷モード８０４、帳票用紙の印刷速度改善設定８０５が記憶される。
【００７８】
幅８０１には、図６（Ｅ）の画面を介して設定された値が記憶される。
【００７９】
高さ８０２には、図６（Ｆ）の画面を介して設定された値が記憶される。
【００８０】
印刷モード８０３には、図６（Ｄ）の画面を介して設定された印刷モードが記憶される。
【００８１】
フリーサイズの印刷モード８０４には、図６（Ｇ）の画面を介して設定された印刷モードが記憶される。
【００８２】
帳票用紙の印刷速度改善設定８０５には、図７の画面を介して設定された印刷モードが記憶される。
【００８３】
＜印刷時の制御の流れ（ＰＣ側）＞
図９は、ＰＣにおいて印刷ジョブを生成してプリンタに送信する際の動作を示すフローチャートである。
【００８４】
このフローチャートが示す動作は、ＣＰＵ１２０がＨＤＤ１２４に記憶されたプログラムをＲＡＭ１２３に読み出して実行することにより実現される。
【００８５】
また、このフローチャートが示す動作は、アプリケーションプログラムにおいて画像が特定された上でプリンタドライバが立ち上げられたことにより開始する。
【００８６】
Ｓ９０１において、ＣＰＵ１２０は、ディスプレイ１２６に、プリンタドライバの印刷設定画面を表示する。図１０は、プリンタドライバの印刷設定画面である。図１０（Ａ）は、印刷設定画面において「ページ設定」のタブがクリックされた際に表示される画面である。この画面でユーザ設定用紙１００１３がクリックされると、図１０（Ｂ）が表示される。図１０（Ｃ）は、印刷設定画面において「仕上げ」のタブがクリックされた際に表示される画面である。この画面で処理オプション１００３１がクリックされると、図１０（Ｄ）が表示される。図１０（Ｅ）は、印刷設定画面において「給紙」のタブがクリックされた際に表示される画面である。この様な印刷設定画面を介して、ユーザから様々な設定を受付可能となっている。
【００８７】
Ｓ９０２において、ＣＰＵ１２０は、図１０（Ａ）の原稿サイズ１００１１及び出力用紙サイズ１００１２を介して、ユーザから用紙サイズの設定を受け付ける。具体的には、原稿サイズ１００１１及び出力用紙サイズ１００１２に、図１０（Ｂ）を介して予め登録された用紙の一覧をプルダウンメニューで表示し、その中からユーザが所望の用紙サイズを選択可能とする。出力用紙サイズ１００１２で「原稿と同じ」が選択されると、原稿サイズ１００１１で選択されたサイズが用紙サイズとして設定される。また、出力用紙サイズ１００１２で「Ａ４」等の所定の用紙サイズが選択されると、出力用紙サイズ１００１２で設定されたサイズが用紙として設定される。このとき、出力用紙サイズ１００１２が原稿サイズ１００１１と異なる場合には、出力用紙サイズ１００１２に合わせて原稿の画像データを拡大又は縮小する。なお、ユーザ設定用紙は、図１０（Ｂ）において、次のようにして予め任意に登録することができる。すなわち、ユーザ設定用紙名１００２１で用紙名を入力し、単位１００２２でサイズの単位を選択し、用紙サイズ１００２３で用紙のサイズを入力し、登録１００２４をクリックする。そして、登録された用紙は、用紙一覧１００２５に表示され、確認や削除を行うこともできる。
【００８８】
Ｓ９０３において、ＣＰＵ１２０は、図１０（Ｄ）の帳票用紙印の刷速度改善設定１００４１を介して、ユーザの指示に従って帳票用紙の印刷速度改善の設定を受け付ける。具体的には、帳票用紙の印刷速度改善設定１００４１に、「パネル優先」「使わない」「少量印刷速度改善」「大量印刷速度改善」の選択肢をプルダウンメニューで表示し、その中からユーザが所望の印刷モードを選択可能とする。設定された内容は、項目一覧１００４２に他の処理オプションとともに表示され、確認することができる。
【００８９】
Ｓ９０４において、ＣＰＵ１２０は、図１０（Ｅ）の給紙部１００５１を介して、ユーザから給紙段の設定を受け付ける。具体的には、給紙部１００５１に、プリンタドライバに対応するプリンタが有する給紙段の一覧を表示し、その中からユーザが所望の給紙段を選択可能とする。
【００９０】
Ｓ９０５において、ＣＰＵ１２０は、プリンタドライバが立ち上げられた際にアプリケーションプログラムにおいて特定された画像と、Ｓ９０２〜Ｓ９０４において受け付けた各種設定に基づいて、印刷ジョブを生成する。図１１は、印刷ジョブの内容を示す図である。帳票用紙の印刷速度改善設定１１０１は、Ｓ９０３で受け付けた設定である。用紙タイプ１１０２は、Ｓ９０２で受け付けた設定のうち、用紙の名称に対応する設定（例えばＡ４や帳票用紙１）である。用紙サイズ１１０３は、Ｓ９０２で受け付けた設定のうち、用紙のサイズに対応する設定（例えば２１０．０×２９７．０や１８０．０×２９６．０）である。給紙段１１０４は、Ｓ９０４で受け付けた設定である。印刷データ１１０５は、プリンタドライバが立ち上げられた際にアプリケーションプログラムにおいて特定された画像のデータである。
【００９１】
Ｓ９０６において、ＣＰＵ１２０は、Ｅｔｈｅｒｎｅｔ（登録商標）１２５を介して、Ｓ９０５で生成した印刷ジョブをプリンタ１００１に送信する。
【００９２】
＜印刷時の制御の流れ（プリンタ側）＞
図１２は、プリンタにおいてＰＣから印刷ジョブを受信して印刷を行う際の動作を示すフローチャートである。
【００９３】
このフローチャートに示す動作は、ＣＰＵ１１０がＨＤＤ１１７に記憶されたプログラムをＲＡＭ１１６に読み出して実行することにより実現する。
【００９４】
Ｓ１２０１において、ＣＰＵ１１０は、Ｅｔｈｅｒｎｅｔ（登録商標）１１８を介して、Ｓ９０６でＰＣ１００２から送信された印刷ジョブを受信する。
【００９５】
Ｓ１２０２において、ＣＰＵ１１０は、Ｓ１２０１で受信した印刷ジョブ（図１１）を解析することにより、帳票用紙の印刷速度改善設定１１０１を取得する。そして、帳票用紙の印刷速度改善設定１１０１に「パネル優先」が設定されているか否か判断する。Ｓ１２０２でＹＥＳの場合、Ｓ１２０３に進む。Ｓ１２０２でＮＯの場合、Ｓ１２０４に進む。
【００９６】
Ｓ１２０３において、ＣＰＵ１１０は、予めプリンタ１００１のＨＤＤ１１７に記憶された設定（図８）にアクセスすることにより、帳票用紙の印刷速度改善設定８０５を取得する。そして、帳票用紙の印刷速度改善設定８０５を参照する。
【００９７】
Ｓ１２０４において、ＣＰＵ１１０は、Ｓ１２０２で取得した帳票用紙の印刷速度改善設定１１０１を参照する。
【００９８】
Ｓ１２０５において、ＣＰＵ１１０は、Ｓ１２０３又はＳ１２０４で参照した帳票用紙の印刷速度改善設定が何であるか判断する。印刷速度改善設定が「少量印刷速度改善モード（初期生産優先モード）」であった場合、Ｓ１２０６に進む。印刷速度改善設定が「使わない」であった場合、Ｓ１２１２に進む。印刷速度改善設定が「大量印刷速度改善モード（固定生産モード）」であった場合、Ｓ１２１３に進む。
【００９９】
Ｓ１２０６において、ＣＰＵ１１０は、Ｓ１２０１で受信した印刷ジョブ（図１１）を解析することにより、用紙タイプ１１０２を取得する。そして、その用紙タイプ１１０２に「帳票用紙」が設定されているか否か判断する。Ｓ１２０６でＹＥＳの場合、Ｓ１２０７に進む。Ｓ１２０６でＮＯの場合、Ｓ１２０９に進む。
【０１００】
Ｓ１２０７において、ＣＰＵ１１０は、予めプリンタ１００１のＨＤＤ１１７に記憶された設定（図８）にアクセスすることにより、Ｓ１２０１で受信した印刷ジョブの用紙タイプ１１０２に対応する帳票用紙の印刷モード８０３を取得する。そして、その印刷モード８０３に「オフ」が設定されている否か判断する。Ｓ１２０７でＹＥＳの場合、Ｓ１２０９に進む。Ｓ１２０７でＮＯの場合、Ｓ１２０８に進む。
【０１０１】
Ｓ１２０８において、ＣＰＵ１１０は、Ｓ１２０１で受信した印刷ジョブ（図１１）を解析することにより、用紙サイズ１１０３を取得する。また、ＣＰＵ１１０は、予めプリンタ１００１のＨＤＤ１１７に記憶された設定（図８）にアクセスすることにより、Ｓ１２０１で受信した印刷ジョブの用紙タイプ１１０２に対応する帳票用紙の幅８０１及び高さ８０２を取得する。そして、用紙サイズ１１０３に含まれる幅及び高さと幅８０１及び高さ８０２を比較しその比較結果としてそれぞれ一致するか否か判断する。なお、この一致判断は、例えば１０ｍｍの誤差は許容することとしてもよいし、誤差許容値として別の値を採用してもよい。Ｓ１２０８でＹＥＳの場合、Ｓ１２１１に進む。Ｓ１２０８でＮＯの場合、Ｓ１２０９に進む。
【０１０２】
Ｓ１２０９において、ＣＰＵ１１０は、Ｓ１２０１で受信した印刷ジョブ（図１１）を解析することにより、給紙段１１０４を取得する。そして、その給紙段１１０４に「フリーサイズ」が設定されているか否か判断する。Ｓ１２０９でＹＥＳの場合、Ｓ１２１０に進む。Ｓ１２０９でＮＯの場合、Ｓ１２１２に進む。
【０１０３】
Ｓ１２１０において、ＣＰＵ１１０は、予めプリンタ１００１のＨＤＤ１１７に記憶された設定（図８）にアクセスすることにより、フリーサイズの印刷モード８０４を取得する。そして、そのフリーサイズの印刷モード８０４に「オフ」が設定されているか否か判断する。Ｓ１２１０でＹＥＳの場合、Ｓ１２１２に進む。Ｓ１２１０でＮＯの場合、Ｓ１２１１に進む。
【０１０４】
Ｓ１２１１において、ＣＰＵ１１０は、Ｓ１２０１で受信した印刷ジョブ（図１１）に含まれる帳票用紙の印刷速度改善設定１１０１に「少量印刷速度優先モード（初期生産優先モード）」を設定する。なお、この時点で既に帳票用紙の印刷速度改善設定１１０１が「少量印刷速度優先モード（初期生産優先モード）」になっている場合には、改めて設定し直す必要はない。
【０１０５】
Ｓ１２１２において、ＣＰＵ１１０は、Ｓ１２０１で受信した印刷ジョブ（図１１）に含まれる帳票用紙の印刷速度改善設定１１０１を「使わない（通常モード）」に設定する。なお、この時点で既に帳票用紙の印刷速度改善設定１１０１が「使わない（通常モード）」になっている場合には、改めて設定し直す必要はない。
【０１０６】
Ｓ１２１３において、ＣＰＵ１１０は、Ｓ１２０１で受信した印刷ジョブ（図１１）を解析することにより、用紙タイプ１１０２を取得する。そして、その用紙タイプ１１０２に「帳票用紙」が設定されているか否か判断する。Ｓ１２１３でＹＥＳの場合、Ｓ１２１４に進む。Ｓ１２１３でＮＯの場合、Ｓ１２１６に進む。
【０１０７】
Ｓ１２１４において、ＣＰＵ１１０は、予めプリンタ１００１のＨＤＤ１１７に記憶された設定（図８）にアクセスすることにより、Ｓ１２０１で受信した印刷ジョブの用紙タイプ１１０２に対応する帳票用紙の印刷モード８０３を取得する。そして、その印刷モード８０３に「オフ」が設定されている否か判断する。Ｓ１２１４でＹＥＳの場合、Ｓ１２１６に進む。Ｓ１２１４でＮＯの場合、Ｓ１２１５に進む。
【０１０８】
Ｓ１２１５において、ＣＰＵ１１０は、Ｓ１２０１で受信した印刷ジョブ（図１１）を解析することにより、用紙サイズ１１０３を取得する。また、ＣＰＵ１１０は、予めプリンタ１００１のＨＤＤ１１７に記憶された設定（図８）にアクセスすることにより、Ｓ１２０１で受信した印刷ジョブの用紙タイプ１１０２に対応する帳票用紙の幅８０１及び高さ８０２を取得する。そして、用紙サイズ１１０３に含まれる幅及び高さと幅８０１及び高さ８０２を比較しその比較結果としてそれぞれ一致するか否か判断する。なお、この一致判断は、例えば１０ｍｍの誤差は許容することとしてもよいし、誤差許容値として別の値を採用してもよい。Ｓ１２１５でＹＥＳの場合、Ｓ１２１９に進む。Ｓ１２１５でＮＯの場合、Ｓ１２１６に進む。
【０１０９】
Ｓ１２１６において、ＣＰＵ１１０は、Ｓ１２０１で受信した印刷ジョブ（図１１）を解析することにより、給紙段１１０４を取得する。そして、その給紙段１１０４に「フリーサイズ」が設定されているか否か判断する。Ｓ１２１６でＹＥＳの場合、Ｓ１２１７に進む。Ｓ１２１６でＮＯの場合、Ｓ１２１２に進む。
【０１１０】
Ｓ１２１７において、ＣＰＵ１１０は、予めプリンタ１００１のＨＤＤ１１７に記憶された設定（図８）にアクセスすることにより、フリーサイズの印刷モード８０４を取得する。そして、そのフリーサイズの印刷モード８０４に「オフ」が設定されているか否か判断する。Ｓ１２１７でＹＥＳの場合、Ｓ１２１２に進む。Ｓ１２１７でＮＯの場合、Ｓ１２１８に進む。
【０１１１】
Ｓ１２１８において、ＣＰＵ１１０は、Ｓ１２０１で受信した印刷ジョブ（図１１）に含まれる帳票用紙の印刷速度改善設定１１０１を「大量印刷速度優先モード（固定生産モード）」に設定する。なお、この時点で既に帳票用紙の印刷速度改善設定１１０１が「大量印刷速度優先モード（固定生産モード）」になっている場合には、改めて設定し直す必要はない。また、どのスループットで動作させるかを特定する固定モードには、フリーサイズモード設定で選択されたモードを設定する。
【０１１２】
Ｓ１２１９において、ＣＰＵ１１０は、Ｓ１２０１で受信した印刷ジョブ（図１１）に含まれる帳票用紙の印刷速度改善設定１１０１を「大量印刷速度優先モード（固定生産モード）」に設定する。なお、この時点で既に帳票用紙の印刷速度改善設定１１０１が「大量印刷速度優先モード（固定生産モード）」になっている場合には、改めて設定し直す必要はない。また、どのスループットで動作させるかを特定する固定モードには、印刷ジョブの用紙サイズと一致した用紙サイズが登録された帳票用紙設定に一緒に登録されているモードを設定する。
【０１１３】
Ｓ１２２０において、ＣＰＵ１１０は、Ｓ１２０１で受信した印刷ジョブ（図１１）に含まれる印刷データ１１０５に基づいて、Ｓ１２１１・Ｓ１２１２・Ｓ１２１８・Ｓ１２１９の何れかで設定された印刷モードで印刷を行う。
【０１１４】
なお、Ｓ１２０６及びＳ１２１３は、省略してもよい。
【０１１５】
また、Ｓ１２０８及びＳ１２１５では、幅及び高さの何れか一方の一致で判断してもよい。また、サイズ以外に例えば用紙タイプ（普通紙や厚紙等）・用紙名称・用紙銘柄の一致で判断してもよい。
【０１１６】
また、Ｓ１２１０及び１２１７では、Ｓ１２０１で受信した印刷ジョブに設定されたフリーサイズの印刷モードで判断してもよい。
【０１１７】
また、Ｓ１２０６〜Ｓ１２１１及びＳ１２１３〜Ｓ１２１９の処理は、印刷ジョブのページごとに行うこととするが、全ページまとめて行ってもよい。その場合、用紙タイプ１１０２・用紙サイズ１１０３・給紙段１１０４は１ページ目の情報のみ有することとし、１ページ目の印刷モードを２ページ目以降にも適用するようにすればよい。
【０１１８】
第１の実施形態によれば、幅狭紙の種類が複数になった場合であっても、固定生産モードの運用にあたり、ユーザにとって操作の負担が大きくなってしまうのを防止することが可能となる。
【０１１９】
〔第２の実施形態〕
第１の実施形態では、印刷モードを最終決定するまでの判断を、プリンタ側で実行した。
【０１２０】
これに対して、第２の実施形態では、印刷モードを最終決定するまでの判断を、ＰＣ側で実行する。
【０１２１】
この場合、図６〜８の設定を、ＰＣ側で図９の開始前に行い、図１２のＳ１２１９までの処理を、ＰＣ側で図９のＳ９０５の前に実行することとすればよい。このとき、ＰＣ側ではＳ９０５で印刷データを生成する際に印刷モードを最終決定した結果のデータを印刷ジョブに追加して、プリンタ側ではＳ１２２０で当該印刷ジョブに追加されたデータに対応する印刷モードで印刷を行う。
【０１２２】
第２の実施形態によれば、第１の実施形態と比較して、固定生産モードの運用にあたり、プリンタの処理負荷が軽減される。
【０１２３】
〔第３の実施形態〕
第１の実施形態では、印刷設定及び印刷ジョブの生成を、ＰＣ側で実行した。
【０１２４】
これに対して、第３の実施形態では、印刷設定及び印刷ジョブの生成を、プリンタ側で実行する。これは、プリンタが、スキャナで原稿を読み取って印刷するシーンや、ＨＤＤに格納された画像を印刷するシーン等で適用される。
【０１２５】
この場合、図９の処理を、プリンタ側で図１２の開始前に行うこととすればよい。
【０１２６】
第３の実施形態によれば、第１の実施形態と比較して、固定生産モードの運用にあたり、印刷装置側で操作が完結するため、ユーザの利便性が向上する。
【０１２７】
〔他の実施形態〕
本発明は、以下の処理を実行することによっても実現される。
【０１２８】
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2015197748.tif 000003
【図２】
2015197748.tif 000004
【図３】
2015197748.tif 000005
【図４】
2015197748.tif 000006
【図５】
2015197748.tif 000007
【図６】
2015197748.tif 000008
【図７】
2015197748.tif 000009
【図８】
2015197748.tif 000010
【図９】
2015197748.tif 000011
【図１０】
2015197748.tif 000012
【図１１】
2015197748.tif 000013
【図１２】
2015197748.tif 000014